(57)【要約】【課題】  繰出式筆記具において、快適な筆記に必要充分な量のペン先を、簡単な操作により突出させることが可能な筆記具を提供する。【解決手段】  筆記する際の持ち方から持ち替えることなく持ち手の一指により、軸筒前部側に備えた操作部を軸筒後方に向け操作することで、軸筒内部に前後方向への移動自在に設置されたペン先が、その操作距離を上回る距離を移動し軸筒先端より突出する構造の筆記具。【選択図】図１
2011143702.tif 000002
【特許請求の範囲】
【請求項１】
軸筒内に、先端側がペン先とされた芯材が、軸筒先端の開口部から前記ペン先が突出入可能に設けられた筆記具において、操作部を軸筒前部側の側面に前後方向への移動自在に設け、同軸により一体となって回転する小径回転部と大径回転部とから成る回転部材を軸筒前部側に軸着し、前記芯材を軸筒内後方に向け付勢するための付勢部材を備え、前記操作部と前記小径回転部との間で運動を伝達する第一伝達部材を備え、前記芯材と前記大径回転部との間で運動を伝達する第二伝達部材を備え、指からの外力により前記操作部を軸筒後方に向け移動させるといった操作をすることにより、前記操作部の操作距離を上回る距離を前記芯材が前方に向け移動し、軸筒先端開口部より前記ペン先が突出することを特徴とする筆記具。
【請求項２】
前記小径回転部を部分的に大径化した形体とし、前記第一伝達部材が前記小径回転部に運動を伝達する点から前記回転部材の回転軸までの距離が、前記回転部材の回転に伴い変化することにより、前記操作部の操作距離とそれに対するペン先の移動距離との比率が操作の途中で変化することを特徴とする請求項１記載の筆記具。
【請求項３】
前記第一伝達部材からの前記小径回転部に対する運動の伝達が、前記操作の途中まで行われない構造とし、ペン先の移動開始時期を前記操作の開始時期からずらしたことを特徴とする請求項１記載の筆記具。
【請求項４】
前記回転部材は、滑車による小径回転部と大径回転部とから成り、前記第一伝達部材は、一端を前記小径回転部に連結し、他端を前記操作部に連結した糸状部材から成り、前記第二伝達部材は、一端を前記大径回転部に連結し、他端を前記芯材に連結した糸状部材から成ることを特徴とする請求項１〜３までのいずれか１項記載の筆記具。
【請求項５】
前記回転部材は、歯車による小径回転部と大径回転部とから成り、前記第一伝達部材は、前記小径回転部と噛合するように前記操作部に設けたラックから成り、前記第二伝達部材は、前記大径回転部と噛合するように前記芯材に設けたラックから成ることを特徴とする請求項１〜３までのいずれか１項記載の筆記具。
【請求項６】
前記ペン先が前記軸筒先端開口部より完全に突出し筆記可能な状態において、前記大径回転部に対し直接作用する制動機構を前記操作部に備え、前記大径回転部の回転を直接抑止することを特徴とする請求項１〜５のいずれか１項記載の筆記具。
【請求項７】
前記操作部に蓋部材を連結し、前記操作部の動きに連動して前記ペン先の突出入する軸孔の開閉を行うことを特徴とする請求項１〜６までのいずれか１項記載の筆記具。
【請求項８】
前記ペン先を軸筒先端開口部より突出し筆記可能な状態で系止するための機構が、ペン先を突出させるための操作とは独立した操作をすることにより働く構造としたことを特徴とする請求項１〜７までのいずれか１項記載の筆記具。
【請求項９】
前記ペン先が不用意に前記軸筒先端開口部より突出しないようにペン先の移動を規制するストッパー機構を有することを特徴とする請求項１〜８までのいずれか１項記載の筆記具。
【請求項１０】
前記ペン先を単体または前記芯材と一体で、前記軸筒長手方向に沿って前記ペン先を通る直線を軸とし回動させる回動機構を備え、前記回動を複数の適当な角度それぞれにおいて系止する系止機構を備え、前記角度を維持したまま、軸筒先端開口部からの前記ペン先の突出入および筆記を可能とすることを特徴とする請求項１〜９までのいずれか１項記載の筆記具。
【発明の詳細な説明】
【技術分野】
【０００１】  本発明は、ペン先の突出構造に関する。
【背景技術】
【０００２】
【特許文献１】  特開２００７−３２０１５６
【発明の開示】
【発明が解決しようとする課題】
【０００３】  特に蛍光ペンのように、ほんの少し使って間を空け、またほんの少し使うといった断続的な使用方法が主な場合、ペン先は筆記状態と収納状態をできる限り簡単に切り替えられる筆記具が便利である。しかしながら、前記特許文献１のようなノック式のペン先の突出構造を備えたものの場合、筆記具後端に設けられた操作部をノックしてペン先を出し入れするということは、すなわち筆記具を筆記する際の持ち方から持ち変えなければならないということであり、その頻度が高くなるとやはり面倒な作業となってしまうものであった。
【課題を解決するための手段】
【０００４】  本発明は、上記課題を解決するためになされたものであり、まず請求項１記載の発明では、軸筒内に、先端側がペン先とされた芯材が、軸筒先端の開口部から前記ペン先が突出入可能に設けられた筆記具において、操作部を軸筒前部側の側面に前後方向への移動自在に設け、同軸により一体となって回転する小径回転部と大径回転部とから成る回転部材を軸筒前部側に軸着し、前記芯材を軸筒内後方に向け付勢するための付勢部材を備え、前記操作部と前記小径回転部との間で運動を伝達する第一伝達部材を備え、前記芯材と前記大径回転部との間で運動を伝達する第二伝達部材を備え、指からの外力により前記操作部を軸筒後方に向け移動させるといった操作をすることにより、前記操作部の操作距離を上回る距離を前記芯材が前方に向け移動し、軸筒先端開口部より前記ペン先が突出することを特徴とする筆記具を提供する。【０００５】  請求項２記載の発明では、前記小径回転部を部分的に大径化した形体とし、前記第一伝達部材が前記小径回転部に運動を伝達する点から前記回転部材の回転軸までの距離が、前記回転部材の回転に伴い変化することにより、前記操作部の操作距離とそれに対するペン先の移動距離との比率が操作の途中で変化することを特徴とする請求項１記載の筆記具を提供する。【０００６】  請求項３記載の発明では、前記第一伝達部材からの前記小径回転部に対する運動の伝達が、前記操作の途中まで行われない構造とし、ペン先の移動開始時期を前記操作の開始時期からずらしたことを特徴とする請求項１記載の筆記具を提供する。【０００７】  請求項４記載の発明では、前記回転部材は、滑車による小径回転部と大径回転部とから成り、前記第一伝達部材は、一端を前記小径回転部に連結し、他端を前記操作部に連結した糸状部材から成り、前記第二伝達部材は、一端を前記大径回転部に連結し、他端を前記芯材に連結した糸状部材から成ることを特徴とする請求項１〜３までのいずれか１項記載の筆記具を提供する。【０００８】  請求項５記載の発明では、前記回転部材は、歯車による小径回転部と大径回転部とから成り、前記第一伝達部材は、前記小径回転部と噛合するように前記操作部に設けたラックから成り、前記第二伝達部材は、前記大径回転部と噛合するように前記芯材に設けたラックから成ることを特徴とする請求項１〜３までのいずれか１項記載の筆記具を提供する。【０００９】  請求項６記載の発明では、前記ペン先が前記軸筒先端開口部より完全に突出し筆記可能な状態において、前記大径回転部に対し直接作用する制動機構を前記操作部に備え、前記大径回転部の回転を直接抑止することを特徴とする請求項１〜５のいずれか１項記載の筆記具を提供する。【００１０】  請求項７記載の発明では、前記操作部に蓋部材を連結し、前記操作部の動きに連動して前記ペン先の突出入する軸孔の開閉を行うことを特徴とする請求項１〜６までのいずれか１項記載の筆記具を提供する。【００１１】  請求項８記載の発明では、前記ペン先を軸筒先端開口部より突出し筆記可能な状態で系止するための機構が、ペン先を突出させるための操作とは独立した操作をすることにより働く構造としたことを特徴とする請求項１〜７までのいずれか１項記載の筆記具を��供する。【００１２】  請求項９記載の発明では、前記ペン先が不用意に前記軸筒先端開口部より突出しないようにペン先の移動を規制するストッパー機構を有することを特徴とする請求項１〜８までのいずれか１項記載の筆記具を提供する。【００１３】  請求項１０記載の発明では、前記ペン先を単体または前記芯材と一体で、前記軸筒長手方向に沿って前記ペン先を通る直線を軸とし回動させる回動機構を備え、前記回動を複数の適当な角度それぞれにおいて系止する系止機構を備え、前記角度を維持したまま、軸筒先端開口部からの前記ペン先の突出入および筆記を可能とすることを特徴とする請求項１〜９までのいずれか１項記載の筆記具を提供する。
【発明の効果】
【００１４】  本発明による効果は次のとおりである。
（１）前記課題を解決するには、軸筒前部に設置した操作部を、筆記する際の持ち方から持ち替えることなく、その持ち手の指１本（以下、「操作指」という。）により操作部を後方に向け移動させることでペン先を突出させるといった操作によるものが有効である。【００１５】  しかし、蛍光ペンのようにペン先が大きく、また、前記操作と連動する蓋部材を軸筒内部の先端付近に設ける必要がある場合には、軸筒先端部を、ボールペンのような他の繰出式筆記具のレベルにテーパー状に細くすることが困難である。すなわち、筆記時に軸筒先端が邪魔にならないようにするには、ペン先の軸筒外への突出量をかなり大きくする必要がある。これはつまり、ペン先の移動距離をかなり長くする必要があるということになるわけだが、操作距離とペン先移動距離との移動比率が１：１の構造では、操作距離を長くすることでしか対処できず、それでは操作終了時の操作指の曲げ角が大きくなってしまうため、快適な筆記を提供するのは困難となる。【００１６】  そこで請求項１記載の発明では、前記構造に対し、梃子の原理を逆用し、支点すなわち回転軸に対し、力点すなわち第一伝達部材が小径回転部に運動を伝達する点を、作用点すなわち大径回転部が第二伝達部材に運動を伝達する点より近くに置くことで、ペン先の移動距離が操作部の操作距離を上回るといった加速効果を生み出す機構を前記操作により利用できる構造とした。これにより筆記時の操作指の曲げ角が小さく済む操作性に優れた筆記具となる。【００１７】（２）請求項１記載の発明のように、大小二つ回転部の径の差により加速効果を得る機構は、小さな操作距離に対しペン先を大きく移動させる点で有利な反面、蓋部材が操作部と連動し同距離を移動することで蓋の開閉を行う筆記具の場合、その分ペン先を蓋部材から離してスタートさせないとならないといった欠点や、付勢部材などによる付勢力が増幅されて操作部へ伝えられてしまうといった欠点を持つ。【００１８】  これらの欠点を踏まえて考えると、理想的なペン先の移動パターンは、蓋が開放される前は加速せず、蓋が開放した後加速するといったものがよい。【００１９】  請求項２記載の発明は、そのような効果を得るためのものであり、例えば、小径回転部のうち大径化した部分の径が大径回転部と同径である回転部材を用いた筆記具の場合を、小径回転部が一つの径から成る正円である回転部材を用いた筆記具と比較すると次のような効果が挙げられる。【００２０】  操作の前半においては、力点となる小径回転部の大径部分の径が、作用点となる大径回転部と同径のため加速効果は生じず、ペン先の移動距離を短く抑えることが可能となる。すなわち、ペン先収納時の位置をより蓋部材に近い位置に設定でき、その分芯材やコイルばね他いくつかの部材の長さも短くすることが可能となる。【００２１】  また、前記正円の場合、付勢部材による付勢力が増幅されて操作部に負荷がかかるのに対し、小径回転部の大径部分の径が大径回転部と同径であれば増幅されずに済む。これは、摩擦係数が比較的大きいとされる動作の初期の段階において、より軽い操作感を提供する点で有利である。【００２２】  なお、操作の後半においては、前記正円の場合と同様、小径回転部の小径���分に力点が移るので加速効果が生じ、ペン先の移動距離は操作部の操作距離を上回るものとなる。すなわち、請求項１記載の発明による効果を損なうことなく、上記の二つの効果が加わった、より操作性の優れた筆記具となる。【００２３】（３）請求項３記載の発明では、前記（２）に記載した課題に対し、操作を開始してから蓋部材が軸孔を開放するまでの間、ペン先を動かさずに留めておくことが可能となるため、ペン先収納時の位置を蓋部材の直後に設定できるといった効果がある。【００２４】（４）請求項１から請求項３のいずれの発明であっても、ペン先が完全に突出した状態においては、操作部は小径回転部の小径部分と作用し合っている状態であり、付勢部材による付勢力や紙面からの反発力などを増幅された状態で受けることとなる。請求項６記載の発明では、操作部に備えた制動機構が直接大径回転部を抑止することにより、増幅のない負荷を受けることが可能となることから、筆記時における操作指への負担が軽くなるといった効果が得られる。【００２５】（５）請求項７記載の発明では、操作部を後方に向け移動させることによりペン先を突出させるといった特徴を利用し、操作部が直接蓋部材を引くことで軸孔を開放させるといった構造を可能とした。これには、ノック式の場合に主に用いられるペン先または芯材が蓋部材を押しあけるものと比べ構造を簡単にできる点で効果がある。【００２６】（６）請求項１記載の発明による筆記具は、操作指の外力によりペン先を出した後そのまま操作部を抑えていれば、ペン先を器械的に系止する機構を利用しなくても筆記することは可能である。そこで請求項８記載の発明によれば、前記外力を取り除けばペン先は自動的に軸筒内へ戻るといった、ペン先の戻し忘れを防げる筆記具となり、また、ある程度筆記を続けなければならない時など、使用者が任意でペン先の系止機能を利用することもできる筆記具となる。【００２７】（７）請求項９記載の発明によれば、不用意なペン先の突出を防止できることで携帯時などに安心できる点で有効である。【００２８】（８）請求項１０記載の発明によれば、例えば蛍光ペンの場合、そのペン先は先端が斜めにカットされているため、横方向に筆記する場合と縦方向に筆記する場合とでは前記先端の向きを調整する必要がある。しかし本発明による筆記具のように、操作部が軸筒前部に設置された筆記具の場合、軸筒ごと回動させたのでは操作部が邪魔な位置に来てしまう。そこで本発明においては、軸筒前部は動かさずにペン先を回動させることにより、前記調整を行う構造としたものである。これにより、本筆記具使用者は、縦書きの書籍に用いる場合と横書きの書籍に用いる場合、それぞれに応じてペン先の向きを設定し直すことで操作部が邪魔にならずに筆記することが可能となる。
【発明を実施するための形体】
【実施例１】
【００２９】  本実施例による筆記具は、軸筒１、芯材２、ペン先３、操作部４、回転軸５と小径滑車６ａと大径滑車７とにより一体成型された回転部材、第一糸状部材８、第二糸状部材９、前方ガイド１０、シーリング材１１、蓋部材１２、中央ガイド１３、コイルばね１４、芯材後部１５、角度固定具１６およびインクカートリッジ１８により構成される。（図１参照）【００３０】  なお、芯材２と芯材後部１５は硬質材により一体成型され、その内部に設けた空洞にインク含浸材を収める。また、操作部４は、本筆記具を服のポケットなどに差し込む際に利用するクリップの機能を兼ね備えたものとなっている。【００３１】  軸筒１先端内部に、前方ガイド１０を取り付け、前方ガイド１０と軸筒１との隙間に前記回転部材を軸着する。なお、前方ガイド１０は軸筒１と一体成型されたものでもよい。軸筒１前部の側面には、長手方向に延びる長孔１９を開け、その長孔１９を通し操作部４を軸筒１に装着する。（図３，４参照）【００３２】  先端にペン先３を備えた芯材２は、前方ガイド１０と中央ガイド１３とにより支持され、コイルばね１４の働きにより後方に向け付勢される。【００３３】  第一糸状部材８はその一端を、操作部４における軸筒内部に位置する部分の適当な位置に取り付け、他端を小径滑車６ａの円周上の適当な位置に取り付ける。また、第二糸状部材９は、その一端を芯材２の途中に設けた突起に取り付け、他端を大径滑車７の円周上の適当な位置に取り付ける。なお、ここでのそれぞれの部材の取り付け位置とサイズの関係は、ペン先３が完全に収納された状態において、小径滑車６には第一糸状部材８がほぼ一周巻きついた状態となり、大径滑車７に取り付けられた第二糸状部材９がほぼ伸びきった状態となるのがよい。なお図９では、実線がペン先収納時を、点線がペン先突出時の位置関係を示している。【００３４】  蓋部材１２は、くさび状に先端に向け薄くなった形体で、適度な柔軟性を持つ素材から成る。そして軸筒内部において、前方ガイド１０表面と軸筒１内面とにより形成されたガイドとなる薄い空間に沿って操作部４の動きに併せて前後方向に移動し、前方ガイド１０の軸孔の先端を塞いだり開放したりできるように、操作部４に装着する。（図１、図２参照）なお、本筆記具未使用時において、ペン先３が収納される前方ガイド１０の軸孔は、蓋部材１２とシーリング材１１とによりほぼ密閉された空間となるため、ペン先３からのインクの蒸散を防ぐことができる。【００３５】  次に、図４から図６に示すように、芯材後部１５は軸筒１の内径よりわずかに小さな径を持ち、その表面には角度固定用溝１７が長手方向に刻まれている。そして、角度固定具１６の内側突起部分が、軸筒１に開けた角度調整用スリット２０を通し、軸筒１内にて角度固定用溝１７に収まるよう角度固定具１６を軸筒１上に嵌める。なお、角度調整用スリット２０は、角度固定具１６の内側突起部分が、軸筒円周方向にほぼ９０度の範囲を移動できる長さに設けるのがよい。なお、インクカートリッジを用意したい場合は、該軸筒を分割可能な構造とし芯材後部１５にインクカートリッジ１８を脱着可能に設けるのもよい。【００３６】  以上の構造により、図１０および図１１に示すよ��に、筆記する際の持ち方から持ち手人差し指にて操作部４を後方に向けスライドさせる。すると操作部４は小径滑車６ａに巻きついた第一糸状部材８を引き解きながら小径滑車６ａを大径滑車７共々回転させる。すると大径滑車７は、小径滑車６ａから解かれた第一糸状部材の長さを上回る長さの第二糸状部材９を巻きつけながら芯材２を前方に向け、操作部４の移動距離を上回る距離を移動させる。一方、操作部４に取り付けられた蓋部材１２は後方に向け引っ張られるので、その先端部分は引き下げられて前方ガイド１０の軸孔の先端が開放され、ペン先３は軸筒１の先端より突出する。【００３７】  使用後は、操作部４を押さえていた人差し指の力を抜くことで、芯材２は、コイルばね１４の付勢力により、大径滑車７に巻きついた第二糸状部材９を引き解きながら後方に向け移動するため、大径滑車７は小径滑車６ａ共々、突出時とは逆方向に回転し、小径滑車６ａは第一糸状部材８を巻きつけながら操作部４を前方へと移動させる。この時ペン先３は芯材２と一体となって後方へ移動し前方ガイド１０の軸孔に収まる。一方、蓋部材１２は操作部４に押されて前方へと移動し前方ガイド１０の軸孔先端を塞ぐ位置へと収まる。【００３８】  次に、ペン先の回動機構についてであるが、筆記する方向に応じペン先の先端の向きを変える必要が生じた際は、前述のとおり設置した角度固定具１６を軸筒１円周方向に９０度スライドさせることにより、芯材後部１５からペン先３にかけて一体で回動させ、ペン先の先端の向きを調整する。（図７，８参照）【００３９】  なお、蛍光ペンの場合、縦に線を引く際、右利きの者と左利きの者とではペン先の適した向きは反対となる。その対応策としては、芯材後部１５において角度固定用溝１７から円周方向に９０度ずれた位置に角度固定用溝をもう一つ別に設け、角度固定具１６を軸筒に対し脱着自在とし、右利きと左利きそれぞれに適した側の溝に、角度固定具１６の内側の突起が収まるよう軸筒上に嵌めて使用する方法、または、ペン先を芯材より抜き差し自在なものとし、ペン先のみを芯材に差し直すことで調整する方法などが挙げられる。【００４０】  次に、ペン先の前後方向への移動を器械的に系止するための機構についてであるが、本実施例による筆記具は、一般的に普及している繰出式筆記具のように、ペン先を突出させる操作がペン先を器械的に系止するための操作へと繋がっていない。しかしながら、ある程度筆記を続けなければならない時などは、ペン先を筆記状態で系止できる方が便利である。また、不用意なペン先の突出を防ぐための機能を設けることで携帯時など安心できる点で有効である。そこで、使用者が任意でそれら機能を利用できる構造として次のような例が挙げられる。【００４１】  操作部４のクリップ部分の先端付近に、突起２３を備えたストッパー部材２１を回動軸２２により回動自在に軸着する。なお、軸着部付近は、前記クリップ部分によりストッパー部材２１が強めに挟まれた状態とし、外力を加えない限り前記回動が起こらないようにする。一方、軸筒１表面にはその長手方向に並ぶ突出防止用穴２４と戻り防止用穴２５とを設ける。（図１２〜１４参照）【００４２】  これにより例えば、ペン先の露出状態を維持さ��たい時は、操作部４を後方に向けスライドさせた後、ストッパー部材２１を操作し、突起２３を戻り防止用穴２５に収めればよい。また、ペン先の不用意な突出を防止したい時は、操作部４が前方に完全に戻っている状態で、突起２３が突出防止用穴２４に収まるようストッパー部材２１を操作すればよい。
【実施例２】
【００４３】  本実施例による筆記具は、該小径回転部である実施例１の小径滑車６ａの形体を、図１５または図１７に例示したような、部分的に大径化した形体の小径滑車６ｂまたは小径滑車６ｃに変更することにより、該回転部材の回転に伴い、第一糸状部材８が該小径滑車に力を伝える力点と、その支点となる回転軸との間の距離が変化し、該操作の途中で、その操作距離とペン先の移動距離との比率が変化する筆記具となる。【００４４】  まず、図１５に示した形体は、例えば、図中Ａの大径部分の径が、該大径回転部である大径滑車７と同径であり、且つ、図中Ｃの小径部分の径の２倍とした場合、動作は次のようになる。【００４５】  前記力点は、該操作開始時は図中Ａの端に位置し、そこから図中Ａの大径部分を推移するが、その間の前記比率は１：１である。そして図中Ｂの部分に推移するとそこから徐々に前記比率が変化していき、最後のＣの部分に入ると１：２となる。なお、該軸孔先端が開放された状態となってから前記力点がこのＣの小径部分へと移るように、各部材のサイズおよび取り付け位置を設定するのがよい。（図１５，１６参照）【００４６】  次に、図１７に示した形体についてであるが、前例と比べこちらは、前記力点が該操作終了時、すなわち、ペン先が完全に突出し筆記可能となった時に再び図中Ａの大径部分へと推移することを特徴としている。その効果としては、筆記時に受ける付勢部材からの付勢力や紙面からの反発力が増幅されずに済む点が挙げられる。（図１７，１８参照）
【実施例３】
【００４７】  本実施例による筆記具は、実施例１による筆記具における、ペン先の突出構造を構成する部材を次のように置き換えたものである。なお、本文において触れていない部材の構成は実施例１と共通とする。【００４８】  芯材２６、ペン先２７、操作部２８、回転軸２９と小径歯車３０ａと大径歯車３１とにより一体成型された回転部材、第一ラック３２ａ、第二ラック３３、前方ガイド３４、蓋部材３５、軸筒３６を図１９に示すとおりに備える。なお、第二ラック３３と芯材２６は硬質材により一体成型され、その内部に設けた空洞にインク含浸材を収める。【００４９】  軸筒３６先端内部に、前方ガイド３４を取り付ける。なお、この前方ガイド３４は軸筒３６と一体成型されたものでもよい。【００５０】  軸筒３６には、長孔３７を設け、該回転部材を長孔３７中央付近の幅の広い箇所の縁に軸着し、第一ラック３２ａを備えた操作部２８を長孔３７に通し軸筒３６に装着する。これにより第一ラック３２ａと小径歯車３０ａとが噛み合った状態となる。（図２１〜図２３参照）【００５１】  一方、芯材２６表面に設けられた第二ラック３３の各歯は、円周方向に３６０度刻まれており、芯材２６を回動させても第二ラック３３と大径歯車３１とが常時噛み合うように構成される。【００５２】  なお、これら部材は、図１９に示すように、ペン先２７が完全に収納された状態において、第一ラック３２ａの最後部付近と小径歯車３０ａとが噛み合い、第二ラック３３の最前部付近と大径歯車３１とが噛み合った状態となるよう設置する。【００５３】  以上の構造により、本筆記具を使用する際は、持ち手人差し指にて操作部２８を軸筒後方に向けスライドさせることにより、第一ラック３２ａが小径歯車３０ａを大径歯車３１共々回転させ、大径歯車３１は、第二ラック３３すなわち芯材２６を前方に向け移動させる。一方、操作部２８に取り付けられた蓋部材３５は後方に向け引っ張られるので、その先端部分は引き上げられて前方ガイド３４の軸孔の先端が開放され、ペン先２７は軸筒３６の先端開口部より突出する。（図２０参照）【００５４】  使用後は、操作部２８を押さえていた指の力を抜くとコイルばねの付勢力により、芯材２６すなわち第二ラック３３が後方に向け移動し、ペン先２７は前方ガイド３４の軸孔内に収まる。その際第二ラック３３は、大径歯車３１を小径歯車３０共々回転させ、小径歯車３０ａが第一ラック３２ａすなわち操作部２８を前方へと移動させる。一方、蓋部材３５は操作部２８に押されて前方へと移動し前方ガイド３４の軸孔先端を塞ぐ位置へと収まる。
【実施例４】
【００５５】  実施例３によるペン先の突出構造を構成する部材を次のように変更することにより、より操作性に優れた筆記具を提供することが可能となる。【００５６】  該小径回転部である小径歯車について部分的に大径化し、大径歯車３１と同径の小径歯車大径部３８と、その半分の径の小径歯車小径部３９と、その二つを繋ぐ小径歯車中継部４０とから成る形体の小径歯車３０ｂに変更する。一方、該第一伝達部材である第一ラックは、小径歯車３０ｂと前記操作中は常時か噛み合うよう、第一ラック上段部４１と第一ラック下段部４２とその二つを繋ぐ第一ラック中継部４３とから成る形体の第一ラック３２ｂに変更する。また、操作部内部の前端面に弾性素材から成る制動部材４４を設ける。（図２４参照）【００５７】  該操作に伴う各部材の動作は次のとおりである。まず、図２４に示すように、操作の前半においては、第一ラック上段部４１が小径歯車大径部３８と噛合し該回転部材を回転させる。この時の操作部とペン先との移動距離の比率は１：１となる。そして、ある程度回転したところで、今度は、図２５に示すように、第一ラック中継部４３と小径歯車中継部４０と噛合し該回転部材を回転させる。この時の前記比率は１：１．５程度となる。そして、わずかに回転したところで、今度は、図２６に示すように、第一ラック下段部４２が小径歯車小径部３９と噛合し該回転部材を回転させる。この時の前記比率は１：２となる。そして、ペン先２７が完全に突出し筆記可能な状態となったところで、大径歯車３１の歯に制動部材４４が接触し、該回転部材の回転を抑止する。【００５８】  なお、操作距離の設定に余裕がある場合、実施例２の２つ目に挙げたように、操作の終了時点で小径歯車大径部が再び第一ラックと噛合するものとすれば、筆記時に受ける付勢部材からの付勢力や紙面からの反発力は、該制動部材を用いなくても増幅されずに済むといった効果が得られる。
【実施例５】
【００５９】  実施例３における第一ラック３２ａを次のような形体へと変更することでも、より効果の優れた筆記具を提供することが可能となる。【００６０】  図２７に示すように、該第一ラックの形体を実施例３における物のほぼ半分の長さに変更し、該操作の前半において該回転部材に回転が起こらないようにする。これはすなわち、蓋部材３５が軸孔を開放するのを待ってペン先が動作を開始するといったことを可能とし、その結果、実施例４と比べ、ペン先のスタート位置をより蓋部材３５に近付けることが可能となる。しかし、この場合、該コイルばねの付勢力による芯材の動作を操作部に伝えられない部分が生じ、該操作部および蓋部材３５が所定の位置まで戻れなくなってしまうこととなる。そこで本実施例では軸筒内において操作部用コイルばね４５を設け、操作部を前方に向け付勢するものとした。【００６１】  以上、滑車を利用したもの、歯車を利用したものを挙げてきたが、それらを組み合わせた構成としても同様の効果は得られる。例えば、小径回転部に滑車を、大径回転部に歯車を用いたものや、その反対に小径回転部に歯車を、大径回転部に滑車を用いたものであってもよい。また、伝達部材としては、糸状部材の代わりにベルト状の部材を用いるのもよい。
【図面の簡単な説明】
【００６２】
【図１】実施例１の筆記具の、ペン先収納状態での側面展開図である。
【図２】実施例１の筆記具の、ペン先を突出した状態での側面（前部）展開図である。
【図３】図１におけるＸ−Ｘ線断面図である。
【図４】実施例１の筆記具の、軸筒平面図である。
【図５】図７におけるＹ−Ｙ線断面図である。
【図６】図８におけるＺ−Ｚ線断面図である。
【図７】実施例１の筆記具の、ペン先を横書きに適した向きに系止した状態の側面図である。
【図８】実施例１の筆記具の、ペン先を縦書きに適した向きに系止した状態の側面図である。
【図９】実施例１の筆記具の、回転部材と糸状部材の動作を表した略図である。
【図１０】実施例１の筆記具の、持ち手内でペン先を収納した状態を表した図である。
【図１１】実施例１の筆記具の、持ち手内でペン先を突出した状態を表した図である。
【図１２】ペン先の前後方向への移動を器械的に系止する機構の系止時の機構部分側面図である。
【図１３】図１２に示す機構の系止解除時の機構部分側面図である。
【図１４】図１２に示す機構の機構部分平面図である。
【図１５】実施例２の筆記具の、操作開始時の回転部材と糸状部材の位置関係図である。
【図１６】図１５に示した状態から操作を終了した状態での位置関係図である。
【図１７】実施例２の筆記具の、操作開始時の回転部材と糸状部材の位置関係図である。
【図１８】図１７に示した状態から操作を終了した状態での位置関係図である。
【図１９】実施例３の筆記具の、ペン先収納状態での側面展開図である。
【図２０】実施例３の筆記具の、ペン先を露出した状態での側面（前部）展開図である。
【図２１】図１９におけるＷ−Ｗ線断面図である。
【図２２】実施例３の筆記具の、軸筒平面図である。
【図２３】図１９におけるＶ−Ｖ線展開図である。
【図２４】実施例４の筆記具の、操作開始時の側面（前部）展開図である。
【図２５】実施例４の筆記具の、操作途中の側面（前部）展開図である。
【図２６】実施例４の筆記具の、操作終了時の側面（前部）展開図である。
【図２７】実施例５の筆記具の、操作開始時の側面（前部）展開図である。
【図２８】実施例５の筆記具の、操作終了時の側面（前部）展開図である。
【符号の説明】
【００６３】１    軸筒
２    芯材
３    ペン先
４    操作部
５    回転軸
６    小径滑車
７    大径滑車
８    第一糸状部材
９    第二糸状部材
１０  前方ガイド
１１  シーリング材
１２  蓋部材
１３  中央ガイド
１４  コイルばね
１５  芯材後部
１６  角度固定具
１７  角度固定用溝
１８  インクカートリッジ
１９  長孔
２０  角度調整用スリット
２１  ストッパー部材
２２  回動軸
２３  突起
２４  突出防止用穴
２５  戻り防止用穴
２６  芯材
２７  ペン先
２８  操作部
２９  回転軸
３０  小径歯車
３１  大径歯車
３２  第一ラック
３３  第二ラック
３４  前方ガイド
３５  蓋部材
３６  軸筒
３７  長孔
３８  小径歯車大径部
３９  小径歯車小径部
４０  小径歯車中継部
４１  第一ラック上段部
４２  第一ラック下段部
４３  第一ラック中継部
４４  制動部材
４５  操作部用コイルばね
【図１】
2011143702.tif 000003
【図２】
2011143702.tif 000004
【図３】
2011143702.tif 000005
【図４】
2011143702.tif 000006
【図５】
2011143702.tif 000007
【図６】
2011143702.tif 000008
【図７】
2011143702.tif 000009
【図８】
2011143702.tif 000010
【図９】
2011143702.tif 000011
【図１０】
2011143702.tif 000012
【図１１】
2011143702.tif 000013
【図１２】
2011143702.tif 000014
【図１３】
2011143702.tif 000015
【図１４】
2011143702.tif 000016
【図１５】
2011143702.tif 000017
【図１６】
2011143702.tif 000018
【図１７】
2011143702.tif 000019
【図１８】
2011143702.tif 000020
【図１９】
2011143702.tif 000021
【図２０】
2011143702.tif 000022
【図２１】
2011143702.tif 000023
【図２２】
2011143702.tif 000024
【図２３】
2011143702.tif 000025
【図２４】
2011143702.tif 000026
【図２５】
2011143702.tif 000027
【図２６】
2011143702.tif 000028
【図２７】
2011143702.tif 000029
【図２８】
2011143702.tif 000030